(57)【要約】【課題】濃淡ムラなどの画像ムラ、ギラツキ、およびモアレを同時に改善することができる、電磁波遮蔽性能を有するディスプレイ用フィルターを提供する。【解決手段】少なくとも導電性部材からなるメッシュパターンを有するディスプレイ用フィルターであって、該メッシュパターンは、５角形以上でかつ正多角形以外の多角形の構成単位を主体に構成されていることを特徴とするディスプレイ用フィルター。【選択図】図１
2008034501.tif 000002
【特許請求の範囲】
【請求項１】
少なくとも導電性部材からなるメッシュパターンを有するディスプレイ用フィルターであって、該メッシュパターンは、５角形以上でかつ正多角形以外の多角形の構成単位を主体に構成されていることを特徴とするディスプレイ用フィルター。
【請求項２】
少なくとも導電性部材からなるメッシュパターンを有するディスプレイ用フィルターであって、該メッシュパターンは、５角形以上の多角形の構成単位を主体に構成され、かつ、少なくとも１辺を共有して隣接する構成単位の形状が互いに異なることを特徴とするディスプレイ用フィルター。
【請求項３】
少なくとも導電性部材からなるメッシュパターンを有するディスプレイ用フィルターであって、該メッシュパターンは、５角形以上の多角形の構成単位を主体に構成され、少なくとも１辺を共有して隣接する連続１０個の構成単位の重心を結んだ線が折れ線になることを特徴とするディスプレイ用フィルター。
【請求項４】
前記多角形は９０度以下の内角が多くとも１つである請求項１〜３のいずれか１項に記載のディスプレイ用フィルター。
【請求項５】
少なくとも導電性部材からなるメッシュパターンを有するディスプレイ用フィルターであって、該メッシュパターンは、少なくも５つの曲線で囲まれた形状の構成単位または少なくも合計５つの曲線と直線とで囲まれた形状の構成単位を主体に構成され、かつ、少なくとも１辺を共有して隣接する構成単位の形状が互いに異なることを特徴とするディスプレイ用フィルター。
【請求項６】
少なくとも導電性部材からなるメッシュパターンを有するディスプレイ用フィルターであって、該メッシュパターンは、５角形以上の多角形の構成単位、少なくも５つの曲線で囲まれた形状の構成単位、および少なくも合計５つの曲線と直線とで囲まれた形状の構成単位の少なくとも２種の形状を主体に構成され、かつ、少なくとも１辺を共有して隣接する構成単位の形状が互いに異なることを特徴とするディスプレイ用フィルター。
【請求項７】
前記メッシュパターンが黒化処理されたものである請求項１〜６のいずれか１項に記載のディスプレイ用フィルター。
【請求項８】
反射防止機能、防眩機能、近赤外線遮蔽機能、およびオレンジ光遮蔽機能の少なくとも一つの機能を有する請求項１〜７のいずれか１項に記載のディスプレイ用フィルター。
【発明の詳細な説明】
【技術分野】
【０００１】
本発明は、ディスプレイ用フィルターに関するものである。更に詳しくは、本発明は、ディスプレイの前面に配置され、ディスプレイ画面から発生する電磁波を遮蔽するとともにディスプレイの走査線に対してモアレ等の発生を防止するディスプレイ用フィルターに関する。
【背景技術】
【０００２】
プラズマディスプレイ等のディスプレイ画面から発生する電磁波は、人体への影響及び他の電子機器の誤作動を招くことが懸念されている。そこで、従来からディスプレイ画面に装着される前面フィルターに電磁波遮蔽機能を付与することが行われている。電磁波遮蔽機能を付与する手段としては、インジュウム−錫酸化物膜（ＩＴＯ膜）等の透明導電性膜を用いること、あるいは導電性のメッシュパターンを用いることが知られている。
【０００３】
前者の透明導電性膜に対して後者の導電性メッシュパターンの方が、製造コスト及び導電性能の点で有利であり、広く採用されている。従来から用いられている一般的なメッシュパターンは、格子状のメッシュが規則正しく配列された格子状パターンである。しかしながら、このような格子状パターンを単に用いると、ディスプレイの走査線に対してモアレが発生するという問題があり、ディスプレイ画面に対してバイアス角をもって配置することが提案されている（例えば特許文献１〜４）。しかし、バイアス角はディスプレイの機種等によって適切な範囲が異なり、フィルターメーカーはディスプレイの機種に応じてバイアス角を変更する必要があり、生産性低下の要因になっていた。
【０００４】
一方、他のモアレ対策として、上述の規則正しく配列された格子状パターン以外のパターンを用いることが提案されている（例えば特許文献５〜１０）。しかしながら、これらのメッシュパターンは、パターン交点の太りによる画像ムラやギラツキが発生するという問題やモアレが十分に防止できないという問題があった。すなわち、これら文献に具体的に開示されているメッシュパターンには、その構成単位として円、三角形、四角形、五角形以上の多角形等のいろんな形状を含むパターンがあるが、三角形や四角形の構成単位を比較的多く含むパターンであるため、パターン交点が鋭角となる部分が多い。そのため、実際にそのようなメッシュパターンを製造としようとすると、鋭角な交点の部分が他の部分に比べて太りやすく、画像ムラやギラツキの原因となるという問題があった。さらに、具体的に開示されているメッシュパターンには、円形の構成単位を多く含むパターンもあるが、円と円で囲まれた部分が鋭角になるので上記と同様な問題が起こる。また、格子状パターンをモディファイしたようなパターンも開示されているが、そのようなパターンでは、結局モアレを十分に防止することが難しく、画像の濃淡が発生しやすいという問題があった。
【０００５】
このようにモアレとともに濃淡ムラなどの画像ムラやギラツキを同時に改善するメッシュパターンは、要望されているが未だ提案されていないのが現状である。
【特許文献１】特開平９−１４８７８１号公報
【特許文献２】特開平１１−３３８３８８号公報
【特許文献３】特開２０００−６６６１４号公報
【特許文献４】特開２００１−２２２８３号公報
【特許文献５】特開平２−２９６３９８号公報
【特許文献６】特開平４−２１７３９８号公報
【特許文献７】特開平１１−１２１９７４号公報
【特許文献８】特開２０００−１１４７７３号公報
【特許文献９】特開２００１−３４３５２０号公報
【特許文献１０】特開２００２−４３７９０号公報
【発明の開示】
【発明が解決しようとする課題】
【０００６】
本発明は、濃淡ムラなどの画像ムラ、ギラツキ、およびモアレを同時に改善することができる、電磁波遮蔽性能を有するディスプレイ用フィルターを提供することを目的とする。
【課題を解決するための手段】
【０００７】
本発明の上記目的は、以下の発明によって基本的に達成された。
（１）少なくとも導電性部材からなるメッシュパターンを有するディスプレイ用フィルターであって、該メッシュパターンは、５角形以上でかつ正多角形以外の多角形の構成単位を主体に構成されていることを特徴とするディスプレイ用フィルター。
（２）少なくとも導電性部材からなるメッシュパターンを有するディスプレイ用フィルターであって、該メッシュパターンは、５角形以上の多角形の構成単位を主体に構成され、かつ、少なくとも１辺を共有して隣接する構成単位の形状が互いに異なることを特徴とするディスプレイ用フィルター。
（３）少なくとも導電性部材からなるメッシュパターンを有するディスプレイ用フィルターであって、該メッシュパターンは、５角形以上の多角形の構成単位を主体に構成され、少なくとも１辺を共有して隣接する連続１０個の構成単位の重心を結んだ線が折れ線になることを特徴とするディスプレイ用フィルター。
（４）前記多角形は９０度以下の内角が多くとも１つである前記（１）〜（３）のいずれか１項に記載のディスプレイ用フィルター。
（５）少なくとも導電性部材からなるメッシュパターンを有するディスプレイ用フィルターであって、該メッシュパターンは、少なくも５つの曲線で囲まれた形状の構成単位または少なくも合計５つの曲線と直線とで囲まれた形状の構成単位を主体に構成され、かつ、少なくとも１辺を共有して隣接する構成単位の形状が互いに異なることを特徴とするディスプレイ用フィルター。
（６）少なくとも導電性部材からなるメッシュパターンを有するディスプレイ用フィルターであって、該メッシュパターンは、５角形以上の多角形の構成単位、少なくも５つの曲線で囲まれた形状の構成単位、および少なくも合計５つの曲線と直線とで囲まれた形状の構成単位の少なくとも２種の形状を主体に構成され、かつ、少なくとも１辺を共有して隣接する構成単位の形状が互いに異なることを特徴とするディスプレイ用フィルター。
（７）前記メッシュパターンが黒化処理されたものである前記（１）〜（６）のいずれか１項に記載のディスプレイ用フィルター。
（８）反射防止機能、防眩機能、近赤外線遮蔽機能、およびオレンジ光遮蔽機能の少なくとも一つの機能を有する前記（１）〜（７）のいずれか１項に記載のディスプレイ用フィルター。
【発明の効果】
【０００８】
本発明によれば、パターン交点の太りを低減することができ、その結果、画像濃淡等の画像ムラやギラツキ等の不具合を防ぎつつ、モアレを十分に防止することができる。
【発明を実施するための最良の形態】
【０００９】
本発明は、いずれも、少なくとも導電性部材からなるメッシュパターン（以降、単にパターンと称す）を有するディスプレイ用フィルターにおけるパターン交点の太りを低減することができるものであって、その一つの実施形態としては、例えば図１に示すように、パターンが５角形以上で、かつ、正多角形以外の多角形の構成単位を主体に構成されているものを例示することができる。即ち、実質的に、５角形以上で、かつ、正多角形以外の多角形を最小単位とするパターンである。
【００１０】
ここで、５角形以上で、かつ、正多角形以外の多角形の構成単位を主体に構成するとは、構成単位パターンの総数に対して、５角形以上でかつ正多角形以外の多角形の数が７０％以上であることを意味する。即ち、本発明のパターンは、最小の構成単位として５角形以上の正多角形、４角形以下の多角形、及び円形等を全く含まないか、含む場合であっても全個数に対して３０％未満でしか含まない。構成単位パターンの総数に対する５角形以上でかつ正多角形以外の多角形の数の割合は、好ましくは８０％以上であり、より好ましくは９０％以上である。特に好ましくは、全ての構成単位が、５角形以上で、かつ正多角形以外の多角形である。
【００１１】
５角形以上の正多角形や円の数が多くなると、パターンの規則性が高くなりモアレ防止効果が低下する。また４角形以下の多角形の数が多くなると、多角形の内角が小さくなるので交点が太る傾向にあり、画像にムラが発生しやすくなる。
【００１２】
上記実施形態において、パターンを構成する多角形としては、５角形〜１２角形が好ましく、５角形〜１０角形がより好ましく、特に５角形〜８角形が好ましい。
【００１３】
上記実施形態において、パターンを構成する多角形は、９０度以下の内角を全く有しないか、９０度以下の内角を有する場合でも１個以内であることが好ましい。これによって、交点の太りをより確実に防止でき、画像のムラを防止できる。また更に、少なくとも１辺を共有して隣接する多角形同士の形状が異なるのが好ましい。
【００１４】
次に本発明の別の実施形態を説明する。本発明の別の実施形態としては、パターンが、５角形以上の多角形の構成単位を主体に構成され、かつ、少なくとも１辺を共有して隣接する構成単位同士の形状が互いに異なるものを例示できる。
【００１５】
ここで、主体に構成されるとは、前述と同義であり、５角形以上の多角形を７０％以上含むことを意味し、好ましくは８０％以上であり、より好ましくは９０％以上である。特に好ましくは、全ての構成単位が５角形以上の多角形で構成されたパターンである。なお、本実施形態においては、パターンが５角形以上の正多角形を含んでもよいが、上記したように隣接する構成単位の形状が互いに異なる。以下、図２を用いて詳細に説明する。
【００１６】
図２において、構成単位の１つである多角形１と、該多角形１を構成する辺１ａを共有して隣接する多角形２とは形状が異なる。同様に、多角形１に隣接する多角形３、４、５、６、及び７と、多角形１とは形状が異なる。更に、多角形２と、該多角形２を構成する辺２ａを共有して隣接する多角形３とは形状が異なり、従って、多角形１、２及び３は互いに形状が異なる。同様に、多角形１と３と４、多角形１と４と５、多角形１と５と６、多角形１と６と７、多角形１と７と２は、それぞれ互いに形状が異なる。上記したように５角形以上の形状の異なる多角形を隣接配置することによって、パターンの規則性が低下し、モアレ防止効果が向上する。
【００１７】
図２に示すように、５角形以上の多角形の数が多くなることで交点の太りが低減され、また、隣接する構成単位の形状が互いに異なることで、パターンの規則性が低くなりモアレの発生を防止することができる。
【００１８】
本実施形態においてパターンを構成する多角形としては、５角形〜１２角形が好ましく、５角形〜１０角形がより好ましく、特に５角形〜８角形が好ましい。また、パターンを構成する多角形は、９０度以下の内角を全く有しないか、９０度以下の内角を有する場合でも１個以内であることが好ましい。これによって、交点の太りをより確実に防止でき、画像のムラを防止できる。
【００１９】
次に本発明の更に別の実施形態を説明する。更に別の実施形態としては、パターンが、少なくとも５つの曲線で囲まれた形状の構成単位、または、少なくとも合計５つの直線および曲線で囲まれた形状の構成単位を主体に構成され、かつ、少なくとも１辺を共有して隣接する構成単位の形状が互いに異なるものを例示できる。ここで、主体に構成されるとは、前述と同義である。少なくとも５つの曲線で囲まれた形状や、少なくとも合計５つの直線および曲線で囲まれた形状が多くなることで、交点の太りが低減され、また、隣接する構成単位の形状が互いに異なることで、パターンの規則性が低くなりモアレの発生を防止することができる。
【００２０】
ここで、上記パターンは、実質的に、５角形以上の多角形の少なくとも１辺を曲線に置換した形状を最小の構成単位として有するものであるが、該多角形は、好ましくは５角形〜１２角形、より好ましくは５角形〜１０角形、特に好ましくは５角形〜８角形であり、これらの少なくとも１辺を曲線に置換した形状を最小単位として構成するものが好ましい。なお、曲線は、円弧、波線を含む。
【００２１】
更に別の実施形態としては、パターンが、５角形以上の多角形の構成単位、少なくも５つの曲線で囲まれた形状の構成単位、および少なくも合計５つの曲線と直線とで囲まれた形状の構成単位の少なくとも２種の形状を主体に構成され、かつ、少なくとも１辺を共有して隣接する構成単位の形状が互いに異なるものを例示できる。
【００２２】
ここで、主体に構成されるとは、前述と同義であり、５角形以上の多角形の構成単位、少なくも５つの曲線で囲まれた形状の構成単位、および少なくも合計５つの曲線と直線とで囲まれた形状の構成単位の合計数が、全構成単位数に対して７０％以上であることをいい、好ましくは８０％以上であり、より好ましくは９０％以上である。特に好ましくは、全ての構成単位が、５角形以上の多角形の構成単位、少なくも５つの曲線で囲まれた形状の構成単位、および少なくも合計５つの曲線と直線とで囲まれた形状の構成単位のいずれかに該当するものである。このパターンを図３に示す。
【００２３】
５角形以上の多角形や少なくも５つの曲線で囲まれた形状、さらには少なくも合計５つの曲線と直線とで囲まれた形状が多くなることで、交点の太りが低減され、また、隣接する構成単位の形状が互いに異なることで、パターンの規則性が低くなりモアレの発生を防止することができる。
【００２４】
本実施形態において、パターンは、実質的に、５角形以上の多角形もしくは５角形以上の多角形の少なくとも１辺を曲線に置換した形状を、最小の構成単位として有するが、該多角形は、好ましくは５角形〜１２角形、より好ましくは５角形〜１０角形、特に好ましくは５角形〜８角形であることが好ましい。そして、曲線を含む形状については、それら多角形の少なくとも１辺を曲線に置換した形状であることが好ましい。ここで、曲線は、円弧、波線を含む。
【００２５】
なお、これら実施形態においては、少なくとも１辺を共有して隣接する構成単位の形状が互いに異なるが、この意味は図２に示した実施形態における意味と同義であり、図２における説明に準じる。
【００２６】
さらに別の実施形態としては、パターンが、５角形以上の多角形の構成単位を主体に構成され、少なくとも１辺を共有して隣接する連続１０個の構成単位の重心を結んだ線が一直線にはならない、すなわち折れ線になるものを例示できる。ここで、重心を結んだ線が一直線であるかどうかの判断は、構成単位が少なくとも１００個入るように抽出した任意の視野（例えば４ｍｍ×４ｍｍ）の範囲内に存在する連続１０個の構成単位の重心を結んだ線で判断される。本発明は、任意の視野において、連続１０個の構成単位の重心を結んだ線のいずれもが折れ線になることが好ましい。隣接する構成単位の重心を結ぶ線が折れ線になるように構成単位を配置することによって、パターンの規則性が低下し、モアレを防止することが可能となる。更にパターンの規則性を低下させるためには、連続５個の構成単位の重心を結んだ線が一直線にならないように、すなわち折れ線になるように配置することが好ましい。
【００２７】
本実施形態において、パターンを構成する多角形としては、５角形〜１２角形が好ましく、５角形〜１０角形がより好ましく、特に５角形〜８角形が好ましく、パターン作製の容易性の観点から６角形が最も好ましい。パターンを６角形で構成する場合、その６角形の内角は全て１２０度±２０度であることが好ましく、特に１２０度±１０度が好ましい。このような６角形を構成単位とするパターンにおいては、６角形の辺の長さを変えることによって、重心を結ぶ線が一直線とならないようにすることが容易である。このパターンの１つの例を図４に示す。
【００２８】
図４において、パターンは最小の構成単位が６角形のみで構成されている。例えば、少なくとも１辺を共有して隣接する連続１０個の６角形の重心を結ぶ線２１、２２、２３は一直線にはならず、折れ線になる。説明の便宜上、重心を結ぶ線は３本しか例示していないが、該パターンにおいて重心を結ぶ線はいずれも一直線になることはない。
【００２９】
図４において、いずれの６角形もその内角は全て１２０度±２０度であるが、６角形を構成する辺の長さを異ならせることによって、重心を結ぶ線が一直線になることを回避することができる。このパターンにおいて、隣接する６角形の面積が大きく異なる場合には、前記した重心を結ぶ線の直線性が低下してモアレを効果的に防止できるが、導電性が低下する。従って、隣接する６角形同士の面積の比率は小さい方を基準にして５倍以下が好ましく、４倍以下がより好ましい。更に、６角形の面積が、１個当たり０．００５〜０．２ｍｍ２であるのが好ましく、０．０１〜０．１５ｍｍ２がより好ましい。平均的な面積としては、０．０２〜０．１ｍｍ２が好ましい。
【００３０】
以下、前述した全実施形態に共通する構成について説明する。
【００３１】
パターンを構成する導電性部材の線幅は、５〜３０μｍが好ましく、５〜２０μｍの範囲がより好ましく、特に５〜１５μｍの範囲が好ましい。構成単位１個当たりの面積としては、０．００５〜０．２ｍｍ２が好ましく、０．０１〜０．１５ｍｍ２がより好ましい。平均的な面積としては、０．０２〜０．１ｍｍ２が好ましい。構成単位が多角形である場合、、対向する辺の間隔ｄ（図１を参照）は、８０〜６００μｍの範囲が好ましく、１００〜５００μｍの範囲が好ましい。平均的な間隔としては１５０〜３５０μｍの範囲が好ましい。なお、対向する辺が平行でない場合の間隔ｄは、辺の中心同士を結ぶ距離である。
【００３２】
本発明において、導電性部材からなるメッシュパターンは、合成繊維または金属繊維のメッシュパターンに金属被覆した繊維メッシュパターン、金属薄膜を加工した金属メッシュパターン、導電性ペーストをパターン印刷したもの、半導体ペーストをパターン印刷した後導電加工を施したもの、導電性ペーストを感光パターニングしたもの、半導体ペーストを感光パターニングした後導電加工を施したもの、金属薄膜をレーザーアブレージョン方式でメッシュ状に加工したものなどが挙げられる。金属薄膜の材料としては、銀、金、パラジウム、銅、インジウム、スズ、あるいは銀とそれ以外の金属の合金などの導電性金属が用いられる。導電性メッシュパターンの面抵抗値は、０．０１〜１０Ω／□の範囲が好ましい。
【００３３】
本発明のディスプレイ用フィルターを作製する方法について詳細に説明する。１つの好ましい方法として、銅箔等の導電性金属（導電性部材）をプラスチックフィルム等の透明基材に接着材を介して貼り合わせた積層フィルムを、フォトリソグラフ法、スクリーン印刷法等を利用してエッチングレジストパターンを作製した後、導電性金属をエッチングする方法がある。エッチングする方法としては、ケミカルエッチング法等がある。ケミカルエッチングとは、エッチングレジストで保護された導体部分以外の不要導体をエッチング液で溶解し、除去する方法である。エッチング液としては、塩化第二鉄水溶液、塩化第二銅水溶液、アルカリエッチング液等がある。
【００３４】
フォトリソグラフ法は、積層フィルムの導電性金属層に紫外線等の照射により感光する感光層を設け、この感光層に、上述したようなパターンに予め加工されたフォトマスク等を用いて像様露光し、現像してレジスト像を形成し、次に、導電性金属をエッチングして導電性金属のメッシュパターンを形成し、最後にレジストを剥離する方法である。  
【００３５】
スクリーン印刷法は、積層フィルムの導電性金属層表面にエッチングレジストインクをパターン印刷し、硬化させた後エッチング処理により導電性金属のメッシュパターンを形成し、この後レジストを剥離する方法である。
【００３６】
導電性部材からなるメッシュパターンを作製する他の好ましい方法としては、感光性銀塩を用いる方法も挙げられる。この方法は、ハロゲン化銀などの銀塩乳剤層をプラスチックフィルム等の透明基材にコーティングした積層フィルムを、上述したようなパターンに加工したフォトマスクを介して露光、あるいはパターンをデジタル化してレーザーで露光し、現像処理して銀のメッシュパターンを形成する方法である。形成された銀メッシュは更に銅、ニッケル等の金属でメッキするのが好ましい。これらの方法は、ＷＯ２００４／７８１０、特開２００４−２２１５６４号公報、特開２００６−１２９３５号公報等に記載されている。
【００３７】
本発明において、導電性部材からなるメッシュパターンは黒化処理するのが好ましい。黒化処理は、酸化処理や黒色印刷により行うことができる。例えば、特開平１０−４１６８２号公報、特開２０００−９４８４号公報、特開２００５−３１７７０３号公報等に記載の方法を用いることができる。黒化処理は、メッシュパターンの視認側の表面と両側面を行うのが好ましく、更にメッシュパターンの両面及び両側面を黒化処理するのが好ましい。
【００３８】
透明基材上に設けられる導電性部材からなる導電層は、少なくともディスプレイの画像表示領域に相当する領域はメッシュパターンに加工する必要があるが、画像表示領域の周辺部はメッシュパターンの加工の必要はなく、導電性金属層のままであってもよい。しかし、一方、ディスプレイ用フィルターを連続生産ラインで効率よく製造するためには、導電層は連続メッシュであることが好ましい。連続メッシュとは、メッシュパターンが搬送方向に途切れることなく形成されていることであり、例えば、透明基材上に導電層を少なくとも形成した積層体を長尺ロール状で製造した場合に、ロールの搬送方向にメッシュが連続的に形成されていることである。このような連続メッシュを用いることにより、積層体ロールをカットしてシート状のディスプレイ用フィルターを製造するときの歩留まり及び生産性が向上する。
【００３９】
本発明のディスプレイ用フィルターは、たとえばプラスチックフィルム等の透明基材と、該透明基材上に形成された、少なくとも導電性部材からなるメッシュパターンを構成する導電層とを有する。更に、導電層の上には粘着材を介して機能性フィルムを貼り合わすことが好ましい。導電層は、前記透明基材でサポートする代わりに機能性フィルムでサポートしてもよい。この場合、ディスプレイ用フィルターを構成するフィルムは１枚のみになるのでコスト的に有利である。
【００４０】
本発明に用いられる機能性フィルムとは、ポリエチレンテレフタレートフィルムやトリアセチルセルロースフィルム等のプラスチックフィルムからなる支持体上に反射防止層や防眩層などを設けたフィルムである。
【００４１】
反射防止層は、ディスプレイの視認側に装着したとき、外光の反射防止、映り込み防止により、ディスプレイの画像表示の劣化を防ぐものである。反射防止層としては、支持体上に、高屈折率層、低屈折率層の順に２層以上積層したものが用いられるが、支持体の光学特性を考慮し、光学設計によって構成要素、および各構成要素の膜厚を決定することができる。反射防止性としては、表面の可視光線反射率が３％以下であることが好ましい。
【００４２】
防眩層は、微小な凹凸の表面状態を有する膜のことをいい、熱硬化型または光硬化型樹脂に粒子を分散させて支持体上に塗布・硬化させたもの、あるいは、熱硬化型または光硬化型樹脂を表面に用い、所望の表面状態を有する型を押し付けて凹凸を形成した後に硬化させたものなどが用いられる。防眩層の防眩性としては、ヘイズ値が０．５〜２０％であることが好ましい。反射防止層に防眩機能を付与してもよいし、または防眩層に反射防止機能を付与してもよい。
【００４３】
本発明のディスプレイ用フィルターには、さらに、近赤外線遮蔽機能やオレンジ光遮蔽機能を付与することも好ましい。近赤外線遮蔽機能及びオレンジ光遮蔽機能を付与するにあたっては、それぞれを独立した層として設けてもよいし、あるいは、これらの機能を導電層が形成された透明基材、機能性フィルムを構成するプラスチックフィルム支持体、粘着材層あるいは接着材層などに付与してもよい。
【００４４】
近赤外線遮蔽機能としては、波長８００〜１１００ｎｍの範囲における光線透過率の最大値が１５％以下であることが好ましい。近赤外線遮蔽機能は、例えば近赤外線吸収色素を含有させることによって付与することができる。かかる近赤外線吸収色素としては、フタロシアニン系化合物、アントラキノン系化合物、ジチオール系化合物、ジイモニウム系化合物等が挙げられる。
【００４５】
オレンジ光遮蔽機能としては、波長５８０〜６１０ｎｍの範囲における光線透過率の最小値が３０％以下であることが好ましい。オレンジ光遮蔽機能は、オレンジ光吸収色素を含有させることによって付与することができる。オレンジ光吸収色素としては、所望の吸収波長を有する公知の染料または顔料が用いられる。
【００４６】
近赤外線吸収色素やオレンジ光吸収色素を含有させる方法としては、色素を混錬・分散・溶解させたプラスチックフィルムを用いる方法、色素を樹脂等に混錬・分散・溶解させた塗料を支持体上に塗布する方法、あるいは色素を混錬・分散・溶解させた粘着材を用いる方法がある。また、これらの方法を組み合わせて用いてもよい。
【００４７】
次に、本発明のディスプレイ用フィルターの構成例を以下に示すが、本発明はこれらに限定されない。
【００４８】
ａ）粘着材層／プラスチックフィルム（透明基材）／接着材層／導電層／粘着材層／プラスチックフィルム（支持体）／反射防止層
ｂ）粘着材層／プラスチックフィルム（透明基材）／導電層／粘着材層／プラスチックフィルム（支持体）／反射防止層
ｃ）粘着材層／導電層／粘着材層／プラスチックフィルム（支持体）／反射防止層
ｄ）粘着材層／導電層／プラスチックフィルム（支持体）／反射防止層
ｅ）粘着材層／導電層／粘着材層／近赤外線遮蔽層／プラスチックフィルム（支持体）／反射防止層
ｆ）粘着材層／プラスチックフィルム（透明基材）／接着材層／導電層／粘着材層／近赤外線遮蔽層／プラスチックフィルム（支持体）／反射防止層
ｇ）粘着材層／近赤外線遮蔽層／プラスチックフィルム（透明基材）／導電層／粘着材層／プラスチックフィルム（支持体）／反射防止層
本発明のディスプレイ用フィルターは、上記構成例の中の粘着材層を直接にディスプレイパネルに貼り合わすことができるが、ガラス板、アクリル板、ポリカーボネート板等の公知の高剛性基板を介してディスプレイパネルに装着することもできる。
【００４９】
本発明のディスプレイ用フィルターを直接にディスプレイパネルに貼り合わす場合、上記構成例の中の粘着材層は、衝撃緩和層としての機能を持たすことが好ましい。粘着材層に衝撃緩和機能を付与するには、粘着材層の厚みを１００μｍ以上にすることが好ましく、３００μｍ以上がより好ましく、特に５００μｍ以上が好ましい。厚みの上限は、粘着材層のコーティング適性を考慮して３０００μｍ以下が好ましい。粘着材の種類としては、アクリル系樹脂、エポキシ系樹脂、ウレタン系樹脂、シリコーン系樹脂、ゴム系樹脂等が挙げられる。
【００５０】
ディスプレイ用フィルターをディスプレイパネルに装着する際には、ディスプレイ用フィルターの導電層をディスプレイの外部電極に接続しアースをとって電荷を逃がす必要があり、導電層に外部電極との導通部分（電極という）を設ける必要がある。電極としては、ディスプレイ用フィルターの外周部（画像表示領域の外周）に導電層を剥き出しにして、その剥き出し部分を電極にすることが一般に採用されている。これは、導電層の上（視認側）に積層される機能性フィルムや粘着材層の一部を剥離して導電層を露出する方法や、積層するときに予め導電層より小さいサイズの機能性フィルムを用いる方法がある。
【００５１】
他の電極形成方法として、ディスプレイ用フィルターの外周部に機能性フィルターの表面から少なくとも導電層に達する溝状の空隙を設けて導電層を部分的に露出する方法、あるいは前記空隙に更に導電性ペースト等の導電体を充填する方法などがある。
【００５２】
ディスプレイ用フィルターの形状は通常長方形であり、上記電極は長方形の４辺全ての側辺に平行に直線状に設けるのが好ましい。本発明においては、長方形の４辺に設けられる電極の内、少なくとも対向する２辺には、上記後者の空隙に導電性ペースト等の導電体を充填した電極を形成するのが好ましい。長方形の３辺に上記した空隙に導電体を充填した電極を設けてもよく、４辺全てにこの電極形成方法を採用してもよい。空隙に導電体を充填した電極を、対向する２辺にあるいは３辺に設けた場合は、残りの辺には導電層を剥き出しにした電極を設けるのが好ましい。  
【００５３】
空隙に導電体を充填して電極を形成する方法は、ディスプレイ用フィルターを構成する積層体を長尺のロール状で製造し、この長尺ロールをシートカットしてディスプレイ用フィルターを作製する場合に生産性の観点から有効である。空隙の形成方法としては、レーザーを照射する方法が好ましい。レーザーが照射された部分は、樹脂が溶解、燃焼、あるいは蒸発するので、空隙を形成するための剥離作業の必要がなくなり、生産性の面で好ましい。レーザーの出力源としてはヨウ素、ＹＡＧ、炭酸ガス等を用いることができる。空隙は略直線状の溝状とするのが好ましく、この溝状空隙の幅は、３ｍｍ以下が好ましく、２ｍｍ以下がより好ましく、特に１ｍｍ以下が好ましい。一方、０．１ｍｍ以上が好ましく、０．２ｍｍ以上がより好ましく、特に０．３ｍｍ以上が好ましい。上記の幅の範囲は、電極と導電層との導通性及び電極と積層体との接合強度の観点から好ましい。
【実施例】
【００５４】
以下、実施例により本発明をさらに詳細に説明するが、本発明はこれらの実施例によって限定されるものではない。
【００５５】
＜導電性メッシュパターンの作製＞
厚さ１００μｍのポリエチレンテレフタレートフィルムに接着剤層（エポキシ系接着材；厚さ２０μｍ）を介して導電層となる銅箔（厚さ１０μｍ）を積層して銅箔付きフィルムを作製した。この銅箔付きフィルムにフォトリソ工程（レジストフィルム貼付け−露光−現像−ケミカルエッチング−レジストフィルム剥離）を経て、線幅１５μｍの導電性メッシュパターンを形成した。露光を行うに際し、予め作製した各種フォトマスクを用いることによって、形状の異なるメッシュパターンを得た。以下に作製したメッシュパターンを示す。作製された導電性メッシュパターンの表面と両側面には、更に黒化処理（酸化処理）を施した。
【００５６】
＜パターンＡ＞；図１に示すパターンで、構成単位が５角形以上の正多角形以外の多角形を主体に構成され、５角形以上の正多角形及び４角形以下の多角形は実質的に含まれない。多角形の大きさは、対向する辺の間隔は１５０〜４００μｍであり、平均的な間隔は約３００μｍである。更に、最小の構成単位の全ての多角形において、多角形を構成する内角の内９０度以下の内角は１個以下である。
【００５７】
＜パターンＢ＞；図２に示すパターンで、５角形以上の多角形で主体に構成され、少なくとも１辺を共有して隣接する多角形同士の形状が異なる。最小単位の多角形の大きさは、対向する辺の間隔が１５０〜４００μｍであり、平均的な間隔は約３００μｍである。
【００５８】
＜パターンＣ＞；図３に示すパターンで、構成単位が５角形以上の多角形及び５角形以上の多角形の少なくとも１辺を曲線に置換した形状を主体に構成され、最小の構成単位の大きさは、対向する辺の間隔が１５０〜４５０μｍであり、平均的な間隔は約３００μｍである。
【００５９】
＜パターンＤ＞；図４に示すパターンで、全ての内角が１２０度±２０度である６角形のみで構成されたパターンであり、かつ隣接する連続１０個の６角形の重心を結ぶ線は折れ線となっている。最小の構成単位である６角形の大きさは、対向する辺の間隔が１５０〜４５０μｍであり、平均的な間隔は約３００μｍである。
【００６０】
＜パターンＥ＞；図５に示す格子状のパターンであり、線間のピッチは３００μｍである。
【００６１】
＜パターンＦ＞；図６に示すパターンで、正６角形が規則正しく配列されたパターンである。最小の構成単位である正６角形の大きさは、対向する辺の間隔が３００μｍである。
【００６２】
＜機能性フィルムの作製＞
次に、厚さ１００μｍのポリエチレンテレフタレートフィルムに反射防止層を積層した機能性フィルム（東レ（株）製のＡＲフィルム「リアルック」）の裏面（反射防止層とは反対面）に、近赤外線遮蔽機能とオレンジ光遮蔽機能を併せ持つ層（近赤外線吸収色素としてフタロシアニン系色素とジイモニウム系色素、及びオレンジ光吸収色素としてテトラアザポルフィリン系色素をアクリル系樹脂に混合した塗料）を積層し、更にその上に（株）巴川製紙所製の色調粘着塗料「ＴＤ４３Ｂ」を積層した。
【００６３】
＜ディスプレイ用フィルターの作製＞
上記のようにして作製した各種パターンを有する導電層付きフィルムの導電層の面と、機能性フィルムとを機能性フィルムに設けた前記粘着材層を介して貼合し、更に、導電層付きフィルムの裏面（導電層とは反対面）に、厚さ５００μｍのウレタン系粘着材層を積層してディスプレイ用フィルターを作製した。
【００６４】
導電層付きフィルムと機能性フィルムを貼合する際に、長方形の短辺側の２辺は同一幅とし、長辺側の２辺は機能性フィルムをそれぞれ１０ｍｍずつ短くして導電層の剥き出し部を設け、その剥き出し部を電極とした。短辺側の２辺については炭酸ガスレーザーを照射して溝状の空隙を形成し、該空隙に銀ペースト（藤倉化成（株）製の「ドータイト」）を充填して電極を形成した。
【００６５】
＜ディスプレイ用フィルターの評価＞
松下電器産業（株）製のプラズマディスプレイテレビ「４２ＰＸ−２０」の前面フィルターを取り外し、上記で作製したディスプレイ用フィルターをディスプレイパネルに貼り付け、筐体の外部電極と導通が取れるように組み立てた。ディスプレイの画像を観察し、モアレ、画像ムラ及びギラツキの発生状況を目視で評価した。この評価は１０人による官能評価である。一人当たり持ち点は１０ポイントで、モアレが確認されれば０ポイント、確認されなければ１０ポイントである。画像ムラ及びギラツキの評価も同様である。
【００６６】
次に、電磁波遮蔽性能を評価するために、リケン製３ｍ法電波暗室にＳｃｈｗａｒｚｂｅｃｋ製アンテナを設置し、Ｒｏｈｄｅ  ＆  Ｓｃｈｗａｒｚ  製ＥＭＩテストレシーバ及びＡｇｉｌｅｎｔＴｅｃｈｎｏｌｏｇｉｅｓ製スペクトラムアナライザを用いて、平面ディスプレイの放射エミッションを測定した。ＦＣＣ規格ｃｌａｓｓＢは、周波数３０〜８８ＭＨｚで４０ｄＢ以下が許容値である。
【００６７】
モアレ、画像ムラ及びギラツキの発生状況と電磁波遮蔽性能の結果を表１に示す。
【００６８】
【表１】
2008034501.tif 000003
【００６９】
上記結果から明らかなように、本発明の導電性メッシュパターンを有するディスプレイ用フィルターは画像ムラ、ギラツキ、およびモアレを同時に防止することができるが、一方、比較例はモアレを防止することができない。
【図面の簡単な説明】
【００７０】
【図１】本発明の導電性メッシュパターンの一実施態様を示す平面図。
【図２】本発明の導電性メッシュパターンの別の態様を示す平面図。
【図３】本発明の導電性メッシュパターンの更に別の態様を示す平面図。
【図４】本発明の導電性メッシュパターンの更に別の態様を示す平面図。
【図５】従来の導電性メッシュパターンの平面図。
【図６】従来の導電性メッシュパターンの平面図。
【符号の説明】
【００７１】
１  最小の構成単位である多角形
１ａ、２ａ  多角形１、２を構成する辺
２、３、４、５、６、７  多角形１に隣接する多角形
２１、２２、２３  隣接する６角形の重心を結んだ線
【図１】
2008034501.tif 000004
【図２】
2008034501.tif 000005
【図３】
2008034501.tif 000006
【図４】
2008034501.tif 000007
【図５】
2008034501.tif 000008
【図６】
2008034501.tif 000009